(57)【要約】【課題】降水の受け入れ及び排出に支障を及ぼすことなく、かつ、クモ、アリ等の小動物の侵入を阻止し、メンテナンスも容易な雨量計を提供する。【解決手段】雨または雪を取り入れるための受水器１０、取り込んだ前記雨または雪に混在する塵を除去するためのろ水器１２、左右に揺動可能な軸受けに支持され、ろ水器１２によりろ過された水を受水する転倒ます１４、転倒ます１４が揺動する毎にパルスを発生するリードスイッチ（図示せず）、転倒ます１４が揺動した際に排出された水を、排水口１６を介して外部に排出する排水筒１８を備え、排水筒１８の内部に設置され、小動物忌避剤を含有する樹脂部材４０を配設した雨量計１により解決する。【選択図】  図４
2004264110.tif 000002
【特許請求の範囲】
【請求項１】
雨を取り入れるための受水器、取り込んだ前記雨に混在する塵を除去するためのろ水器、左右に揺動可能な軸受けに支持され、前記ろ水器によりろ過された水を受水する転倒ます、前記転倒ますが揺動する毎にパルスを発生するリードスイッチ、前記転倒ますが揺動した際に排出された水を排水口を介して外部に排出する排水筒を備えた雨量計において、
小動物忌避剤を含有する樹脂部材を備えた雨量計。
【請求項２】
前記樹脂部材が、前記排水筒の内径に係合させるための係合部を当該樹脂部材の外壁に有し、テーパー状に形成されたドレイン部を当該樹脂部材の内壁に有している請求項１記載の雨量計。
【請求項３】
前記排水口、前記受水器、前記転倒ます、前記転倒ますの支持体のいずれかが前記樹脂部材により形成された、請求項１又は２記載の雨量計。
【請求項４】
前記樹脂部材がメッシュ状に形成され、前記排水筒内部および／または前記排水口部に配設された請求項１〜３のいずれか一項記載の雨量計。
【請求項５】
前記樹脂部材がメッシュ状に形成され、前記受水器および／または受水口に配設された請求項１〜４のいずれか一項記載の雨量計。
【請求項６】
前記樹脂部材が、徐放性を有する小動物忌避剤を含有する請求項１〜５のいずれか一項記載の雨量計。
【発明の詳細な説明】
【０００１】
【発明の属する技術分野】
本発明は、雨または雪の量を測定する雨量計に関し、特に、薬剤を含有し、前記雨量計への小動物の進入を防止する部品を有する雨量計に関する。
【０００２】
【従来の技術】
雨量計は、屋外に設置され、雨量または雪量を測定する器械であり、一定時間内に雨量ますに溜まった雨量を測る貯水型雨量計と、雨量を連続的に測定・記録する転倒ます型雨量計とが知られている。
【０００３】
転倒ます型雨量計としては、例えば、特開２０００−２４９７７４号公報に、上縁に受水口１３を有し下端部にパイプ挿入口を有する漏斗１１と、前記パイプ挿入口から挿入して前記漏斗１１に一体に取り付けてあるパイプ１２とからなり、雨水に含まれている砂等の塵を前記漏斗１１下端部に沈殿させ、雨水を前記パイプ１２の上端部の入水口から前記パイプ１２の下端部の排水口１２ａに導通し、雨水が一定量に達するごとに転倒して雨量を計数するものがある（特許文献１）。
【０００４】
【特許文献１】特開２０００−２４９７７４号公報
【発明が解決しようとする課題】
雨量計は、降水を取り入れ、排水をするものであるため、その構造上、降水を取り入れるための穴および排水するための穴を設ける必要がある。ところが、この穴から、クモ、アリ等の小動物が侵入し、巣を作ることが多数報告されている。
【０００５】
転倒ます型雨量計は、降水取入れ口から雨または雪を取り入れ、左右に２個一対のますを有し、左右に揺動ような転倒軸受けに支持された転倒ますの一方のますに導かれ、そのますに雨または雪が溜まると、重心が支点の反対側に移動し、例えば、０．５ｍｍ又は１ｍｍに達するごとに転倒して排水口を通して排水される。その際、転倒ますの支持軸に取り付けてある磁気体により転倒回数を計測し、その回数により雨量または雪量を計測する仕組みになっている。
【０００６】
従って、転倒ます部の動作部に、クモやアリ等の小動物が営巣すると、ますの揺動動作が不安定になり、場合によっては雨量計の誤作動を誘発する等の問題を有していた。
【０００７】
この問題を解決するため、メーカー側で１〜２ヶ月に１度のメンテナンスを行ない、小動物の巣を発見した場合はその巣の除去を行ったり、従来技術の雨量計の排水筒５０を示した図５の上面図（Ａ）及び側面図（Ｂ）に示すように、雨量計の排水筒５０にフック５２で係止された飛散防止ネット５４を設置し、その下部にメッシュ状の防虫ネット５６を取り付け、小動物の侵入を阻止すること等により対処していた。
【０００８】
しかしながら、雨量計は全国的に設置されており、その数は相当なものになるため、定期的にメンテナンスを行う場合はそための人的コストがかかる。また、穴に防虫ネットを使用する場合でも、小動物が侵入しない程度にまで防虫ネットを細メッシュ化するには限度がある。従って、上記のいずれの方法においても、問題を根本的に解決するには至っていない。
【０００９】
そのため、降水の受け入れ及び排出に支障を及ぼすことなく、かつ、クモ、アリ等の小動物の侵入を阻止し、メンテナンスも容易な雨量計の開発が望まれていた。
【課題を解決するための手段】
上記の課題を解決するため、本発明の雨量計は、雨を取り入れるための受水器、取り込んだ前記雨に混在する塵を除去するためのろ水器、左右に揺動可能な軸受けに支持され、前記ろ水器によりろ過された水を受水する転倒ます、前記転倒ますが揺動する毎にパルスを発生するリードスイッチ、前記転倒ますが揺動した際に排出された水を排水口を介して外部に排出する排水筒を備えた雨量計において、小動物忌避剤を含有する樹脂部材を備えたことを特徴とする。
【００１０】
このような構成としたことにより、小動物忌避材料からにじみ出る忌避剤により、排水口からの小動物の侵入を防止することができ、降水の受け入れ及び排出に支障を及ぼすことなく、かつ、クモ、アリ等の小動物の侵入を阻止することができる。また、小動物忌避効果が持続する限り前記樹脂部材の交換も不要であるため、メンテナンスが容易である。
【００１１】
【発明の実施の形態】
本発明の雨量計を、図を参照しつつ、更に詳細に説明する。図４は本実施形態の雨量計１の全体構成を説明した部分断面図であり、図に示すように、本実施形態の雨量計１は、雨または雪を取り入れるための受水器１０、取り込んだ前記雨または雪に混在する塵を除去するためのろ水器１２、左右に揺動可能な軸受けに支持され、ろ水器１２によりろ過された水を受水する転倒ます１４、転倒ます１４が揺動する毎にパルスを発生するリードスイッチ（図示せず）、転倒ます１４が揺動した際に排出された水を、排水口１６を介して外部に排出する排水筒１８を備えている。なお、受水器１０および／または受水口２０に防虫ネット６０を設けてもよく、本実施形態では受水器１０の上部に防虫ネット６０を設けた例を示している。
【００１２】
受水器１０は、上部が開口した受水口２０を有し、雨や雪を先ず最初に受ける漏斗状の部材である。ろ水器１２は、受水器１０にて採集された雨水または雪に含まれた砂等の塵を取り除き、転倒ます１４に雨水を導く部材であり、漏斗２２とパイプ２４とからなり、受水器１０の受水口２０と同様、水平な受水口２６を具備している。
【００１３】
転倒ます１４は、その揺動動作を示す図３（Ｂ）に記載されているように、左右に一対のます１４ａ，１４ｂを有し、転倒ます１４の中心軸線Ａ上に位置する重心より下方の支点軸２８を中心に左右に揺動するように支持体３２により支持され、ろ水器２から導かれた雨水Ｗをいずれか一方のますで受水し（例えば１４ｂ）、一定量に達する毎に転倒して他方のますで受水し（例えば１４ａ）、これを繰り返す回数をマグネット等の磁性体に感応するリードスイッチで読み取って計数する。
【００１４】
また、図４に示すように、転倒ます１４の両脇下側には転倒ます１４を受け止めるためのストッパー３０ａ，３０ｂと、雨水Ｗを排出するための排水口１６ａ，１６ｂを有する排水筒１８ａ，１８ｂが配設され、転倒した転倒ます１４はストッパー３０ａ，３０ｂの先端で受け止められ、転倒ます１４の中の雨水Ｗは排水筒１８の排水口１６を通って雨量計１の外部に排出される。
【００１５】
次に、排水筒１８の内部に設置され、小動物忌避剤を含有する樹脂部材４０（単に「樹脂部材４０」と称する場合もある）について説明する。小動物忌避剤を含有する樹脂部材の全体斜視図である図１に示すように、樹脂部材４０の形状は、排水筒１８の内径に係合させるための係合部４２を円筒状の樹脂部材４０の外壁に有し、テーパー状に形成されたドレイン部４４を樹脂部材４０の内壁に有している。
【００１６】
係合部材４２は、弾性を有し、図のように、樹脂部材４０の外壁に対してやや外側に反り返った形状となっている。これにより、本実施形態の雨量計１の排水筒１８の上面図を示す図３（Ａ）に示すように、排水筒１８に装着した際に、係合部材４２が排水筒１８の内壁に密着し、樹脂部材４０が固定されるように形成されている。
【００１７】
また、ドレイン部４４は、樹脂部材４０の断面を説明した図２に示すように、樹脂部材４０の上部の径を下部の径よりも大きくとったテーパー状に形成することにより、排水を行う際の跳ね返りを防止することができる。
【００１８】
この樹脂部材４０は、図２および図４に示すように、排水筒１８内部の排水口１６付近に設置さる。設置場所は、クモ、アリ等の小動物が外部から侵入する可能性が最も高い排水口１６とするのが好ましい。
【００１９】
小動物忌避剤としては、クモを含む昆虫等の小動物の除去活性を有する薬剤であり、小動物忌避活性を有する化合物、殺小動物活性を有する化合物、小動物の摂食阻害活性、小動物の成長コントロール活性を有する化合物等を挙げることができる。
【００２０】
具体的には、ピレスロイド系化合物、カーバメート系化合物、有機リン系化合物及びこれらの異性体、誘導体、類縁体その他小動物の成長をコントロールする活性を有する化合物等を挙げることができる。
【００２１】
また、かかる小動物忌避剤が含有される樹脂部材４０を構成する樹脂としては、ポリアセタール樹脂、ポリアミド樹脂の少なくとも１種の樹脂とすることができる。さらに、この樹脂に対して小動物忌避剤を溶解保持し、徐放性を付与する作用を有するための化合物を含めることがより好ましい。
【００２２】
かかる化合物としては、例えば、スルホンアミド誘導体、スルホン酸エステル誘導体、カルボン酸アミド誘導体、カルボン酸エステル誘導体より選ばれる少なくとも１種の化合物とすることができる。
【００２３】
更に、繊維状無機充填剤を配合することにより、徐放性を一層高め、機械的物性を高めることもできる。
【００２４】
以上の小動物忌避剤を含有する樹脂部材４０の成形は、射出成形等の公知の成形方法により成形することができる。
別の態様として、排水口１６、受水器１０、転倒ます１４、転倒ます１４の支持体３２を、小動物忌避剤を有する樹脂部材で形成することもでき、更に、図には示されていないが、換気を目的として図４の雨量計１の底部６２に通気口を設ける場合はその通気口を前記樹脂部材で形成することもできる。
【００２５】
更に別の態様として、図６に示すように、小動物忌避剤を有する樹脂部材をメッシュ状に形成し、設置部位に応じて直径を適宜変更することにより、例えば、図５に示すように、排水筒１８内部および／または排水口１６上部、並びに、図４に示すように、受水器１０および／または受水口２０に取り付け、塵除けとともに小動物の侵入を防止することもできる。本実施態様においては、０．５ミリの角穴程度の成形が可能である。
【００２６】
なお、これらの部材を形成する際、樹脂に小動物忌避剤を含有させる代わりに、先述の小動物忌避剤を塗布することによっても同様の効果を得ることができる。
【００２７】
【発明の効果】
小動物忌避材料からにじみ出る忌避剤により、排水口に近づいた小動物の侵入を防止することができる。これにより、転倒ますに小動物が近づかないため、転倒ますの軸受けに小動物が営巣を行ったり、挟まること等により生じた動作不良を防止することができる。その結果、動作不良による観測データの欠損を回避でき、また、データの精度を維持することができる。
【００２８】
また、メンテナンスは小動物忌避剤の効果が低下するまでに定期的に部材を交換すればよいため、保守管理が容易であり、人的コストも抑制することができる。
【００２９】
また、雨量計自体も忌避剤ガスが充満するため、受水口からの小動物の侵入を防止する効果も期待できる。
【００３０】
また、排水の通路で小動物の忌避対策をすることにより、排水のたびに、排水に含まれた忌避剤が小動物の侵入してくる方向に流れ、忌避効果が早まる。更に、排水が長期間繰り返され、忌避剤が排水により拡散される結果、小動物の学習能力も加わり、雨量計周辺にわたる小動物忌避効果も期待できる。
【００３１】
なお、本発明は、自動販売機その他の防虫を要求される機器類への応用も可能である。
【図面の簡単な説明】
【図１】本実施形態の小動物忌避剤を含有する樹脂部材の全体斜視図である。
【図２】本実施形態の小動物忌避剤を含有する樹脂部材の断面を説明した図である。
【図３】転倒ますの揺動動作を示す図である。
【図４】本実施形態の雨量計の全体構成を説明した部分断面図である。
【図５】従来技術の雨量計の排水筒の上面図（Ａ）及び側面図（Ｂ）である。
【図６】小動物忌避剤を有する樹脂部材をメッシュ状に形成した例を示す全体斜視図である。
【符号の説明】
１：雨量計、１０：受水器、１２：ろ水器、１４：転倒ます、１６：排水口、１８：排水筒、２０受水口、２２：漏斗、２４：パイプ、２６：漏斗の受水口、２８：支点軸、３０：ストッパー、３２：支持体、４０：小動物忌避剤を含有する樹脂部材、４２：係合部、４４：ドレイン部
【図１】
2004264110.tif 000003
【図２】
2004264110.tif 000004
【図３】
2004264110.tif 000005
【図４】
2004264110.tif 000006
【図５】
2004264110.tif 000007
【図６】
2004264110.tif 000008